(57)【要約】【課題】  本願は、隣り合う屋根材同士の係合部分において、それらが屋根下地に固定される強度を向上させた屋根材の取付構造を提供することを目的とする。【解決手段】  本願は、屋根材の取付構造に関する技術である。屋根材は、平面視略矩形状の平板部と、平板部の短手である一端部に上係合部と、上係合部に対向する他端部に下係合部が形成されている。屋根材固定補強具は、表面側に接着層が形成されている。これらを用い、屋根材固定補強具が屋根下地に固定され、屋根材の下係合部が形成された一端部裏面が、屋根材固定補強具の接着層上に接着される。そして、下係合部に、隣り合う屋根材の上係合部が係合されている。【選択図】  図４
2019190253.tif 000002
【特許請求の範囲】
【請求項１】
屋根材は、
平面視略矩形状の平板部と、
該平板部の短手である一端部に上係合部と、
該上係合部に対向する他端部に下係合部が形成されており、
屋根材固定補強具は、
表面側に接着層が形成されており、
前記屋根材固定補強具が屋根下地に固定され、
屋根材の下係合部が形成された一端部裏面が、
屋根材固定補強具の接着層上に接着され、
前記下係合部に、
隣り合う屋根材の上係合部が係合されている
屋根材の取付構造。
【請求項２】
縦葺き屋根材は、
平面視略矩形状の平板部と、
該平板部の水上側に水上係合部と、
前記平板部の水下側に水下係合部が形成されており、
屋根材固定補強具は、
表面側に接着層が形成されており、
前記屋根材固定補強具が屋根下地に固定され、
下段の縦葺き屋根材の水上側裏面が、
屋根材固定補強具の接着層上に接着され、
下段の縦葺き屋根材の水上係合部に、
上段の縦葺き屋根材の水下係合部が係合されている
縦葺き屋根材の取付構造。
【発明の詳細な説明】
【技術分野】
【０００１】
本願は、隣り合う屋根材同士の係合部分において、それらが屋根下地に固定される強度を向上させた屋根材の取付構造を提供することを目的とする。
【背景技術】
【０００２】
従来技術について、図８で説明する。
【０００３】
図８は、特開２０１６−２０５１２０号公報にて公開されている嵌合式屋根材およびその嵌合式屋根材の接続方法に関する技術である。梁間方向に延伸する一対の長尺縁部１ａ、１ｂと、桁方向に延伸する一対の短尺縁部１ｃ、１ｄとによって区画された輪郭形状を有する屋根材本体１と、上ハゼ２、下ハゼ３とを備え、短尺縁部１ｃ、１ｄを、屋根材本体１の水下側、水上側にそれぞれ隣接配置する他の屋根材の短尺縁部に重ね合わせて梁間方向へ接続する一方、上ハゼ２、下ハゼ３を、桁方向に隣接配置する他の屋根材の下ハゼ、上ハゼにそれぞれ嵌合させて桁方向へ接続して葺きあげる嵌合式の屋根材において、短尺縁部１ｃに、水上側に隣接配置する他の屋根材の短尺縁部の下側に重ね合わさる下継手４を、もう一方の短尺縁部１ｄに、屋根材本体１と面一状態でつながり、水下側に隣接配置する他の屋根材の短尺縁部の上側において重ね合わさる上継手５を設ける。
【先行技術文献】
【特許文献】
【０００４】
【特許文献１】特開２０１６−２０５１２０号公報
【発明の概要】
【発明が解決しようとする課題】
【０００５】
図８に示した先行技術では、屋根材の下ハゼの固定用舌片、下継手の舌片のそれぞれに所定間隔でもってビスをねじ込むか、あるいは釘等を打ち付けて野地板、母屋等に固定する。しかし、下継手と上継手が組み合わされた箇所は、野地板、母屋等にしっかり固定された箇所から距離があるので、弱点になりやすい。たとえば、屋根から屋根材がはがれる起点になったり、雨水が浸入する箇所になったりしやすかった。とくに、働き幅の広い（１枚当たりの面積が大きい）屋根材において、顕著だった。
【課題を解決するための手段】
【０００６】
本願は、屋根材の取付構造に関する技術である。屋根材は、平面視略矩形状の平板部と、平板部の短手である一端部に上係合部と、上係合部に対向する他端部に下係合部が形成されている。屋根材固定補強具は、表面側に接着層が形成されている。これらを用い、屋根材固定補強具が屋根下地に固定され、屋根材の下係合部が形成された一端部裏面が、屋根材固定補強具の接着層上に接着される。そして、下係合部に、隣り合う屋根材の上係合部が係合されている。
【０００７】
本願は、縦葺き屋根材の取付構造に関する技術である。縦葺き屋根材は、平面視略矩形状の平板部と、平板部の水上側に水上係合部と、平板部の水下側に水下係合部が形成されている。屋根材固定補強具は、表面側に接着層が形成されている。これらを用い、屋根材固定補強具が屋根下地に固定され、下段の縦葺き屋根材の水上側裏面が、屋根材固定補強具の接着層上に接着される。そして、下段の縦葺き屋根材の水上係合部に、上段の縦葺き屋根材の水下係合部が係合されている。
【発明の効果】
【０００８】
本願は、屋根材固定補強具が屋根下地に固定され、（下段の縦葺き）屋根材の下係合部が形成された一端部裏面（水上側裏面）が、屋根材固定補強具の接着層上に接着されている。そのため、（下段の縦葺き）屋根材の下係合部（水上係合部）に、隣り合う屋根材の上係合部（上段の縦葺き屋根材の水下係合部）が係合されている箇所が、屋根材固定補強具によってしっかり固定された真上に位置する構造になっている。したがって、隣り合う屋根材の上係合部（下段の縦葺き屋根材の水上係合部）に、係合されている箇所が、（上段の縦葺き）屋根材の上係合部（水下係合部）が屋根から屋根材がはがれる起点になったり、雨水が浸入する箇所になったりする恐れがない。その結果、働き幅の広い（１枚当たり面積の大きい）屋根材にすることもできる。
【図面の簡単な説明】
【０００９】
【図１】本願の（縦葺き）屋根材の取付構造における縦葺き屋根材の実施例を示す説明図である。
【図２】本願の（縦葺き）屋根材の取付構造における屋根材固定補強具の実施例（実施例１）を示す説明図である。
【図３】本願の（縦葺き）屋根材の取付構造における屋根材固定補強具の実施例（実施例２）を示す説明図である。
【図４】本願の（縦葺き）屋根材の取付構造の実施例（実施例１）を示す説明図である。
【図５】本願の（縦葺き）屋根材の取付構造の実施例（実施例１）を示す説明図である。
【図６】本願の（縦葺き）屋根材の取付構造の実施例（実施例１）を示す説明図である。
【図７】本願の（縦葺き）屋根材の取付構造の実施例（実施例２）を示す説明図である。
【図８】従来技術の説明図である。
【実施例】
【００１０】
本願の（縦葺き）屋根材の取付構造について、図１から図７までにより説明する。図１は、本願の（縦葺き）屋根材の取付構造における縦葺き屋根材の実施例を示す斜視図である。図２は、本願の（縦葺き）屋根材の取付構造における屋根材固定補強具の実施例（実施例１）を示す斜視図である。図３は、本願の（縦葺き）屋根材の取付構造における屋根材固定補強具の実施例（実施例２）を示す斜視図である。図４から図６までは、図２（実施例１）に示した屋根材固定補強具を用いた本願の（縦葺き）屋根材の取付構造の説明図である。それらはそれぞれ、図４は分解斜視図、図５は流れ方向に見た説明図、図６は桁行方向に見た説明図である。図７は、図３（実施例２）に示した屋根材固定補強具を用いた本願の（縦葺き）屋根材の取付構造の分解斜視図である。
【００１１】
本願において、屋根材Ｙは、平面視略矩形状の平板部Ｙ１と、その長手端部に長手係合部Ｙ４・Ｙ４を有する。この長手係合部Ｙ４・Ｙ４は、縦葺き屋根材の場合、長手となる両端部に形成されており、屋根上に屋根材Ｙを取り付けるのに用いられる。本願において、長手係合部Ｙ４・Ｙ４は、実施例に示した構造に限定するものではなく、その大きさ・形状等については問わない。たとえば、屋根材Ｙが縦葺き屋根材である場合、この長手係合部Ｙ４・Ｙ４が吊子に係合される構造でもよいし、桁行方向に隣り合う屋根材Ｙ・Ｙ同士が係合される構造であってもよい。さらに、長手係合部Ｙ４・Ｙ４にキャップ等を組み合わせる構造であってもよい。
【００１２】
本願において、屋根材Ｙは、横葺き屋根材であってもよい。その場合、長手係合部Ｙ４・Ｙ４は、一方が水下側、他方が水上側に形成されている。本願の屋根材Ｙが横葺き屋根材である場合、水上側の長手係合部Ｙ４が吊子に係合される構造でもよいし、吊子を用いずに水上側の長手係合部Ｙ４の外側を止着具で直接固定してもよい。そして、屋根の流れ方向において上段の（横葺き）屋根材Ｙの水下側となる長手係合部Ｙ４が、下段の（横葺き）屋根材Ｙの水上側となる長手係合部Ｙ４に係合される構造である。
【００１３】
本願において、屋根材Ｙが縦葺き屋根材である場合、平板部Ｙ１の水上側に水上係合部（下係合部Ｙ２）と、平板部Ｙ１の水下側に水下係合部（上係合部Ｙ３）が形成されている。この水上係合部（下係合部Ｙ２）と水下係合部（上係合部Ｙ３）は、屋根の流れ方向で隣り合う縦葺き屋根材Ｙａ・Ｙｂ同士で係合される。本実施例において、水上係合部（下係合部Ｙ２）は、平板部Ｙ１の水上端部が表面側に折り返されて形成されている。一方、水下係合部（上係合部Ｙ３）は、平板部Ｙ１の水下端部が裏面側に折り返されて形成されている。
【００１４】
本願において、屋根材Ｙが横葺き屋根材である場合、平板部Ｙ１において短手である桁行側端部の一方にに下係合部Ｙ２と、下係合部Ｙ２に対向する端部に上係合部Ｙ３が形成されている。この下係合部Ｙ２と上係合部Ｙ３は、屋根の桁行方向で隣り合う屋根材Ｙ・Ｙ同士で係合される。たとえば、下係合部は、平板部Ｙ１の短手である一端部が表面側に折り返されて形成されている。一方、上係合部Ｙ３は、下係合部Ｙ２に対向する他端部が裏面側に折り返されて形成されている。
【００１５】
本願の屋根材Ｙが、本実施例のように縦葺き屋根材である場合、屋根の流れ全長よりも短い。そして、複数の縦葺き屋根材が、屋根の流れ方向において上段と下段で連設され、それらの水上係合部（下係合部Ｙ２）と水下係合部（上係合部Ｙ３）が係合され、取り付けられる。そのため、１つの屋根材Ｙ自体の長さを屋根の流れ全長に合わせて設定する必要がなく、複数枚の屋根材Ｙを組み合わせて対応することができる。その結果、取付工事現場の作業・置き場スペース、縦葺き屋根材の梱包・輸送形態、縦葺き屋根材を運送する交通手段等に応じて、最適な長さ・大きさとなる所定寸法の屋根材Ｙとして量産することができる。
【００１６】
本願において屋根下地Ｂとは、野地板、タルキ、母屋等、縦葺き屋根材を取り付けるベースとなるものである。木製、金属製等は問わないが、屋根材Ｙ等を固定するのに用いられる止着具Ｆを保持できる性能を有する。なお、屋根材Ｙや屋根材固定補強具Ｈ等と屋根下地Ｂの間に、図５のようにルーフィング材、透湿防水シート等の下葺き材Ｕを介在させてもよい。
【００１７】
本願の屋根材固定補強具Ｈは、屋根下地Ｂの上に取り付けられる部材である。屋根材Ｙが縦葺き屋根材である本実施例では、屋根材固定補強具Ｈは、段折りされた板材であり、水上側がビス等の止着具Ｆで固定され、その水下側に下段の縦葺き屋根材Ｙａの水上側が組み合わされる。本願の屋根材固定補強具Ｈは、その幅・大きさ等は問わない。たとえば、図２のように屋根材Ｙの働き幅同等程度であってもよいし、図３のように数センチメートル程度の狭い幅であってもよい。屋根材固定補強具Ｈが数センチメートル程度の狭い幅である場合、図７のように複数枚を用いて、１枚の屋根材Ｙを固定補強してもよい。
【００１８】
本願の屋根材固定補強具Ｈは、表面側に接着層Ｈ１が形成されている。接着層Ｈ１は、具体的には、接着剤が塗布されたり、両面テープが貼付されたりして形成されている。屋根材Ｙが縦葺き屋根材である場合、接着層Ｈ１は、屋根材固定補強具Ｈの表面側において、少なくとも表面の水下側だけには形成されている必要がある。本実施例において、縦葺き屋根材に用いられる屋根材固定補強具Ｈにおいては、水下側が水上側よりも一段高く形成されており、高い側の表面に接着層が形成されている。
【００１９】
本実施例の屋根材固定補強具Ｈは、水上側に止着具用孔Ｈ２が形成されている。この止着具用孔Ｈ２は、１つの屋根材固定補強具Ｈに対して、図２のように複数であってもよいし、図３のように１つであってもよい。なお、屋根材固定補強具Ｈを屋根下地Ｂに固定するため、本実施例のように止着具用孔Ｈ２を用いるのは一例であって、そのほか、屋根材固定補強具Ｈ裏面を屋根下地Ｂに接着するといった手段を用いてもよい。
【００２０】
次に、本願の屋根材の取付構造について、縦葺き屋根材の実施例によって説明する。基本的には、図８に示したような通常の縦葺き屋根材の取付構造とほぼ同じ手順である。たとえば、（縦葺き）屋根材Ｙの一方の長手係合部Ｙ４の外側を屋根下地Ｂに止着具Ｆ等で固定し、そこに隣接する（縦葺き）屋根材Ｙを嵌合させて取り付けていく。そのほか、まず吊子を屋根下地Ｂに固定して、（縦葺き）屋根材Ｙを嵌めて取り付けていく構造でもよい。ただし、下段の縦葺き屋根材Ｙａを取り付ける際に、本願の屋根材固定補強具Ｈが屋根下地Ｂに固定されていることが必要である。このとき、まず、本願の屋根材固定補強具Ｈが屋根下地Ｂに固定される。なお、本実施例においては、屋根材固定補強具Ｈの水上側（低い側）が、屋根下地Ｂにビス等の止着具Ｆによって固定されている。
【００２１】
本願は、吊子状の屋根材固定補強具を屋根下地Ｂに固定し、屋根材Ｙの短手端部に形成された下係合部Ｙ２又は上係合部Ｙ３を引っ掛けるという構造ではない。たとえば、図４及び図７のように、隣り合う縦葺き屋根材同士が重なり合う部分に、止水材Ｓを挟む場合が少なくない。この場合、吊子状の屋根材固定補強具を屋根下地Ｂに固定し、屋根材Ｙの短手端部に形成された下係合部Ｙ２又は上係合部Ｙ３を引っ掛けるという構造とすると、屋根材固定補強具が、縦葺き屋根材Ｙａ・Ｙｂの間に挟まれるために、止水材Ｓを挟んだ効果が十分に得られず、雨水が浸入することが想定される。とくに、屋根材Ｙが縦葺き屋根材である場合、屋根の流れ方向に隣り合う縦葺き屋根材Ｙａ・Ｙｂの目地が、屋根（雨水）の流れと直交の向きになるため、雨水が浸入する可能性が高まる。さらに、屋根材固定補強具を上段と下段の縦葺き屋根材Ｙａ・Ｙｂの間に挟んだがために、屋根材固定補強具Ｈが雨水を導いてしまうという逆効果も想定される。
【００２２】
本願は、屋根材Ｙが縦葺き屋根材である場合、下段の縦葺き屋根材Ｙａの水上側裏面が、屋根材固定補強具Ｈの接着層Ｈ１上に接着される。本願のように、下段の縦葺き屋根材Ｙａの水上側裏面が、屋根材固定補強具Ｈの接着層Ｈ１上に接着される構造であることによって、上段と下段の縦葺き屋根材Ｙａ・Ｙｂの間に挟んだ止水材Ｓの効果が十分に得られ、雨水を導いてしまうこともない。また、屋根下地Ｂと平板部Ｙ１の間に高さ方向の空隙がある場合でも、図６のように屋根材固定補強具Ｈの段折りされた高さ等によって対応できる。
【００２３】
本願は、工程の順序は問わない。屋根材固定補強具Ｈが屋根下地Ｂに固定されたあと、（下段の縦葺き）屋根材Ｙの下係合部Ｙ２が形成された一端部裏面（水上側裏面）が、屋根材固定補強具Ｈの接着層Ｈ１上に接着されてもよい。そのほか、（下段の縦葺き）屋根材Ｙの下係合部Ｙ２が形成された一端部裏面（水上側裏面）が、屋根材固定補強具Ｈの接着層Ｈ１上に接着されたあと、屋根材固定補強具Ｈが屋根下地Ｂに固定されてもよい。すなわち、本願は、屋根材固定補強具Ｈが屋根下地Ｂに固定され、かつ、（下段の縦葺き）屋根材Ｙの下係合部Ｙ２が形成された一端部裏面（水上側裏面）が、屋根材固定補強具Ｈの接着層Ｈ１上に接着された構造であればよい。
【００２４】
さらに、屋根材Ｙが縦葺き屋根材である場合、上段の縦葺き屋根材Ｙｂの水下係合部（上係合部Ｙ３）が、下段の縦葺き屋根材Ｙａの水上係合部（下係合部Ｙ２）に係合されている。すなわち、下段の縦葺き屋根材Ｙａが屋根材固定補強具Ｈによって固定された真上の位置において、上段の縦葺き屋根材Ｙｂが水下係合部（上係合部Ｙ３）によって固定された状態になる。仮に、上段の縦葺き屋根材Ｙｂに剥がす方向に風等による荷重が加わったとしても、従来なかった屋根材固定補強具Ｈの止着具Ｆ固定、及び接着層Ｈ１の接着力によって補強された構造になっている。したがって、従来の屋根材Ｙの固定強度が向上された構造であると言える。
【００２５】
屋根材Ｙ自体に、屋根材固定補強具Ｈのような構造を加えると、固定補強が不要な箇所においても、そのような構造・形状を具備することになり、コスト上昇につながる。別な部材として、屋根材固定補強具Ｈを組み合わせる構造とすることによって、軒側近傍等、風による荷重が強いところのみに限定して、固定補強するといった経済的な取付構造にすることができる。
【００２６】
本願の技術を用いることによって、働き幅の広い、言い換えれば１枚当たり面積の大きい屋根材Ｙとすることができる。その結果、屋根材Ｙの材料コストを低減させたり、屋根材Ｙの取り付け手間を軽減させたりという効果もある。
【符号の説明】
【００２７】
Ｙ        屋根材
Ｙａ      下段の縦葺き屋根材
Ｙｂ      上段の縦葺き屋根材
Ｙ１      平板部
Ｙ２      下係合部（水上係合部）
Ｙ３      上係合部（水下係合部）
Ｙ４      長手係合部
Ｈ        屋根材固定補強具
Ｈ１      接着層
Ｈ２      止着具用孔
Ｆ        止着具
Ｓ        止水材
Ｂ        屋根下地
Ｕ        下葺き材
【図１】
2019190253.tif 000003
【図２】
2019190253.tif 000004
【図３】
2019190253.tif 000005
【図４】
2019190253.tif 000006
【図５】
2019190253.tif 000007
【図６】
2019190253.tif 000008
【図７】
2019190253.tif 000009
【図８】
2019190253.tif 000010